(57)【要約】【課題】テレビ放送とインターネットとの特徴を活かして、個人の情報収集活動と地域コミュニティにおけるコミュニケーションとを繋ぎ合わせ、地域コミュニティを活発化させる。【解決手段】  物理的なコミュニケーションが可能な地域コミュニティに、地域コミュニティに登録された会員が保有する会員端末２０と、地域コミュニティサーバ３０と、企業、公共施設及び商用施設などの特定施設に設置されたデジタルテレビ４０と、がインターネット網で接続された地域コミュニティネットワークシステム１０を構築する。そして、地域コミュニティサーバ３０は、会員端末２０から投稿された投稿情報から、複数チャンネルのコミュニティ番組又はプライベート番組を編成し、この編成した番組を会員端末２０又はデジタルテレビ４０に配信する。【選択図】図１
2013058932.tif 000002
【特許請求の範囲】
【請求項１】
物理的なコミュニケーションが可能な地域コミュニティにおいてインターネット網を利用したコミュニケーションを図るための地域コミュニティネットワークシステムであって、
インターネット網を介して、前記地域コミュニティに登録された会員から投稿された投稿情報を、前記会員又は前記投稿情報の位置情報と紐付けて取得する投稿情報取得手段と、
前記投稿情報取得手段が取得した前記投稿情報のうち、前記地域コミュニティに対応する前記位置情報に紐付けられた前記投稿情報からコミュニティ番組を編成するコミュニティ番組編成手段と、
インターネット網を介して、前記コミュニティ番組編成手段が編成したコミュニティ番組を前記会員に配信するコミュニティ番組配信手段と、
を有することを特徴とする地域コミュニティネットワークシステム。
【請求項２】
前記コミュニティ番組編成手段は、コミュニティ番組を複数のチャンネルで構成することを特徴とする請求項１に記載の地域コミュニティネットワークシステム。
【請求項３】
前記コミュニティ番組編成手段が編成したコミュニティ番組の番組表を作成するコミュニティ番組表作成手段と、
インターネット網を介して、前記コミュニティ番組表作成手段が作成した番組表を前記会員に配信するコミュニティ番組表配信手段と、
を更に有することを特徴とする請求項１又は２に記載の地域コミュニティネットワークシステム。
【請求項４】
前記地域コミュニティへの登録を希望する会員希望者と前記地域コミュニティに登録されている前記会員とが相互に認証すると、会員希望者を前記地域コミュニティに登録する認証手段、
を更に有することを特徴とする請求項１〜３の何れか一項に記載の地域コミュニティネットワークシステム。
【請求項５】
前記コミュニティ番組配信手段が配信したコミュニティ番組に対する前記会員の応答を収集する応答収集手段、
を更に有することを特徴とする請求項１〜４の何れか一項に記載の地域コミュニティネットワークシステム。
【請求項６】
前記投稿情報を投稿した会員及び前記コミュニティ番組に対して応答した会員のユーザプロファイル及び会員間のソーシャルグラフを生成するマーケティング支援情報作成手段、
を更に有することを特徴とする請求項５に記載の地域コミュニティネットワークシステム。
【請求項７】
前記応答収集手段が収集した応答に基づいて、応答した前記会員の前記地域コミュニティへの貢献度を評価するとともに、投稿情報を投稿した前記会員の信頼性を評価する評価手段、
を更に有することを特徴とする請求項５に記載の地域コミュニティネットワークシステム。
【請求項８】
前記投稿情報取得手段が取得した前記投稿情報のうち、企業、公共施設及び商用施設などの特定施設に対応する前記位置情報に紐付けられた前記投稿情報からプライベート番組を編成するプライベート番組編成手段と、
インターネット網を介して、前記プライベート番組編成手段が編成したプライベート番組を前記特定施設に設置されたデジタルテレビに配信するプライベート番組配信手段と、
を更に有することを特徴とする請求項１〜７の何れか一項に記載の地域コミュニティネットワークシステム。
【請求項９】
前記プライベート番組編成手段が編成したプライベート番組の番組表を作成するプライベート番組表作成手段と、
インターネット網を介して、前記プライベート番組表作成手段が作成した番組表を前記デジタルテレビに配信するプライベート番組表配信手段と、
を更に有することを特徴とする請求項８に記載の地域コミュニティネットワークシステム。
【請求項１０】
請求項１〜７の何れか一項に記載の地域コミュニティネットワークが複数接続された包括コミュニティネットワークシステムであって、
前記各地域コミュニティネットワークとの間で、前記投稿情報及び前記コミュニティ番組を送受信する情報送受信手段、
を有することを特徴とする包括コミュニケーションネットワークシステム。
【発明の詳細な説明】
【技術分野】
【０００１】
本発明は、地域コミュニティにおける情報交換などを行う地域コミュニティネットワークシステム、及び、この地域コミュニティネットワークが複数接続された包括コミュニケーションネットワークシステムに関する。
【背景技術】
【０００２】
従来、必要な情報を入手する手段として、インターネットやテレビ放送が利用される。テレビ放送は、視聴者の共通の興味や問題点を情報発信者の視線で選択及び集約することで、視聴者に対して特定の情報を共有させることが可能となっている。インターネットは、膨大な情報が氾濫しているため、情報ポータルサイトや検索エンジンツイッターなどの情報ナビゲーション手段を利用することで、必要な情報を効率的に入手することが可能となっている。
【０００３】
更に、インターネットでは、様々な人とコミュニケーションを取る手段として、ソーシャルネットワーキング（以下「ＳＮＳ」という）が利用されている。このＳＮＳは、参加者がＳＮＳ上に静止画や動画などの情報をアップロードすることで、参加者同士でＳＮＳ上にアップロードされた静止画や動画などの情報を共有することが可能となっている（例えば、特許文献１参照）。
【先行技術文献】
【特許文献】
【０００４】
【特許文献１】特開２００８−３０１４４２号公報
【発明の概要】
【発明が解決しようとする課題】
【０００５】
しかしながら、従来のテレビ放送及びインターネットは、広範囲なエリアや仮想的な社会コミュニティを対象としているため、物理的なコミュニケーションが可能な地域コミュニティにおける議論や情報告知などとしては、必ずしも有効な手段ではなかった。
【０００６】
そこで、本発明は、テレビ放送とインターネットとの特徴を活かして、個人の情報収集活動と地域コミュニティにおけるコミュニケーションとを繋ぎ合わせることで、地域コミュニティを活発化させることができる地域コミュニティネットワークシステム及び包括コミュニケーションネットワークシステムを提供することを目的とする。
【課題を解決するための手段】
【０００７】
本発明に係る地域コミュニティネットワークシステムは、物理的なコミュニケーションが可能な地域コミュニティにおいてインターネット網を利用したコミュニケーションを図るための地域コミュニティネットワークシステムであって、インターネット網を介して、地域コミュニティに登録された会員から投稿された投稿情報を、会員又は投稿情報の位置情報と紐付けて取得する投稿情報取得手段と、投稿情報取得手段が取得した投稿情報のうち、地域コミュニティに対応する位置情報に紐付けられた投稿情報からコミュニティ番組を編成するコミュニティ番組編成手段と、インターネット網を介して、コミュニティ番組編成手段が編成したコミュニティ番組を会員に配信するコミュニティ番組配信手段と、を有することを特徴とする。
【０００８】
本発明に係る地域コミュニティネットワークシステムによれば、投稿情報を投稿する会員と配信されたコミュニティ番組を視聴する会員とを、物理的なコミュニケーションが可能な同一の地域コミュニティで結びつけることができる。このため、コミュニティ番組を視聴する会員に、近所の出来事として親近感を沸かせて、コミュニティ番組に対する関心を高めさせることができる。更に、インターネット網を介した双方向通信を利用することで、手軽に投稿情報の投稿とコミュニティ番組の視聴とを通じたコミュニケーションをとることができる。しかも、投稿された投稿情報は、コミュニティ番組として配信されるため、従来のソーシャルネットワーキングサービスと異なり、視聴者は、あたかもテレビ放送を視聴しているかのような感覚で、コミュニティ番組を視聴することができる。このため、インターネットに不慣れな人でも、抵抗感無くコミュニティ番組を視聴することができる。このようなことから、個人の情報収集活動と地域コミュニティにおけるコミュニケーションとが繋ぎ合わさるため、地域コミュニティを活発化させることができる。
【０００９】
また、本発明は、コミュニティ番組編成手段を、コミュニティ番組を複数のチャンネルで構成してもよい。このように、コミュニティ番組を複数のチャンネルで構成することで、チャンネルを切り替えることにより異なるコミュニティ番組を視聴することができるため、コミュニティ番組に対する興味を増加させることができる。
【００１０】
また、本発明は、記コミュニティ番組編成手段が編成したコミュニティ番組の番組表を作成するコミュニティ番組表作成手段と、インターネット網を介して、コミュニティ番組表作成手段が作成した番組表を会員に配信するコミュニティ番組表配信手段と、を更に有してもよい。このようなコミュニティ番組表作成手段及びコミュニティ番組表配信手段を有することで、コミュニティ番組の視聴者は、テレビ放送の番組を視聴するのと同じ感覚で、インターネット網を介して配信されるコミュニティ番組を視聴することができる。これにより、インターネットに不慣れな人でも、更に抵抗感無くコミュニティ番組を視聴することができる。
【００１１】
また、本発明は、地域コミュニティへの登録を希望する会員希望者と地域コミュニティに登録されている会員とが相互に認証すると、会員希望者を地域コミュニティに登録する認証手段を更に有してもよい。このような認証手段を有することで、地域コミュニティに登録された会員の相互信頼性を向上させることができる。
【００１２】
また、本発明は、コミュニティ番組配信手段が配信したコミュニティ番組に対する会員の応答を収集する応答収集手段を更に有してもよい。このような応答収集手段を有することで、会員からの応答を分析して、コミュニティ番組に対する各会員の興味や嗜好などを推測することができる。これにより、例えば、医療用医薬品の製品情報や疾病情報などを潜在顧客層に直接提供するＤＴＣ（Ｄｉｒｅｃｔ  Ｔｏ  Ｃｕｓｔｏｍｅｒ）の戦略や市場の発掘などを効果的に行うことができる。
【００１３】
また、本発明は、投稿情報を投稿した会員及びコミュニティ番組に対して応答した会員のユーザプロファイル及び会員間のソーシャルグラフを生成するマーケティング支援情報作成手段を更に有してもよい。このようなマーケティング支援情報作成手段を有することで、例えば、会員のユーザプロファイル及び会員間のソーシャルグラフを分析して、ＤＴＣ戦略や市場発掘などにおける潜在顧客層へのコミュニケーションアプローチを適切に実現することができる。
【００１４】
また、本発明は、応答収集手段が収集した応答に基づいて、応答した会員の地域コミュニティへの貢献度を評価するとともに、投稿情報を投稿した会員の信頼性を評価する評価手段を更に有してもよい。このような評価手段を有することで、地域コミュニティにおけるコミュニケーションの品質を向上させることができる。
【００１５】
また、本発明は、投稿情報取得手段が取得した投稿情報のうち、企業、公共施設及び商用施設などの特定施設に対応する位置情報に紐付けられた投稿情報からプライベート番組を編成するプライベート番組編成手段と、インターネット網を介して、プライベート番組編成手段が編成したプライベート番組を特定施設に設置されたデジタルテレビに配信するプライベート番組配信手段と、を更に有してもよい。このようなプライベート番組編成手段及びプライベート番組配信手段を有することで、企業、公共施設及び商用施設などの特定施設の顧客に対して、相互コミュニケーションが可能なデジタルサイネージを安価に提供することができる。
【００１６】
また、本発明は、プライベート番組編成手段が編成したプライベート番組の番組表を作成するプライベート番組表作成手段と、インターネット網を介して、プライベート番組表作成手段が作成した番組表をデジタルテレビに配信するプライベート番組表配信手段と、を更に有してもよい。このようなプライベート番組表作成手段及びプライベート番組表配信手段を有することで、プライベート番組の視聴者は、テレビ放送の番組を視聴するのと同じ感覚で、インターネット網を介して配信されるプライベート番組を視聴することができる。これにより、インターネットに不慣れな人でも、更に抵抗感無くプライベート番組を視聴することができる。
【００１７】
本発明に係る包括コミュニケーションネットワークシステムは、上記何れかの地域コミュニティネットワークが複数接続された包括コミュニティネットワークシステムであって、各地域コミュニティネットワークとの間で、投稿情報及びコミュニティ番組を送受信する情報送受信手段、を有することを特徴とする。
【００１８】
本発明に係る包括コミュニケーションネットワークシステムによれば、複数の地域コミュニティネットワークが接続されているため、地域コミュニティにおける情報とグローバルな情報とを連携させることができる。このため、例えば、各地域コミュニティにおける情報を全国版の番組に纏め上げて、この全国版の番組を各地域コミュニティに配信することで、地域振興を図ることができる。また、例えば、グローバルなＤＴＣ戦略や市場発掘のターゲットとなる地域コミュニティに対して、特定目的の情報を番組として自然に配信することができる。
【発明の効果】
【００１９】
本発明によれば、個人の情報収集活動と地域コミュニティにおけるコミュニケーションとが繋ぎ合わされることで、地域コミュニティを活発化させることができる。
【図面の簡単な説明】
【００２０】
【図１】第１の実施形態に係る地域コミュニティネットワークシステムを示したネットワーク構成概念図である。
【図２】は、会員端末の機能構成図である。
【図３】地域コミュニケーションサーバの機能構成図である。
【図４】デジタルテレビの機能構成図である。
【図５】会員端末に表示されるコミュニティ番組及びコミュニティ番組の番組表の表示例を示した図である。
【図６】会員登録の認証処理動作を示すシーケンスチャートである。
【図７】コミュニティ番組の視聴処理動作を示すシーケンスチャートである。
【図８】コミュニティ番組の視聴処理動作を示すシーケンスチャートである。
【図９】プライベート番組の視聴処理動作を示すシーケンスチャートである。
【図１０】第２の実施形態に係る包括コミュニティネットワークシステムを示したネットワーク構成概念図である。
【図１１】包括コミュニティサーバの機能構成図である。
【図１２】コミュニティ番組の編集視聴処理動作を示すシーケンスチャートである。
【図１３】コミュニティ番組の編集視聴処理動作を示すシーケンスチャートである。
【発明を実施するための形態】
【００２１】
以下、図面を参照して、本発明に係る地域コミュニティネットワークシステムの好適な実施形態について詳細に説明する。なお、全図中、同一又は相当部分には同一符号を付すこととする。
【００２２】
［第１の実施形態］
図１は、第１の実施形態に係る地域コミュニティネットワークシステムを示したネットワーク構成概念図である。図１に示すように、本実施形態に係る地域コミュニティネットワークシステム１０は、インナーネット網で接続されたネットワークシステムであり、物理的なコミュニケーションが可能な地域コミュニティにおいてコミュニケーションを図るためのものである。
【００２３】
地域コミュニティネットワークシステム１０には、複数の会員端末２０と、地域コミュニティサーバ３０と、デジタルテレビ４０とが、インターネット網を介して接続されている。そして、この地域コミュニティネットワークシステム１０は、会員端末２０からコミュニティ番組の素材となる投稿情報が投稿されると、地域コミュニティサーバ３０において、この投稿情報からコミュニティ番組又はプライベート番組を編成し、会員端末２０及びデジタルテレビ４０にコミュニティ番組又はプライベート番組を配信することを、主な機能とする。
【００２４】
以下に、図２〜図４を参照して、地域コミュニティネットワークシステム１０を構成する各端末について詳しく説明する。図２は、会員端末の機能構成図である。図３は、地域コミュニケーションサーバの機能構成図である。図４は、デジタルテレビの機能構成図である。
【００２５】
会員端末２０は、地域コミュニティに登録された会員が所有するパソコン、携帯電話、スマートホン、ＰＤＡなどの端末であり、コミュニティ番組の素材となる投稿情報を投稿するとともに、地域コミュニティサーバ３０から配信されたコミュニティ番組を視聴するものである。このため、会員端末２０は、図２に示すように、素材取得部２１、位置情報取得部２２、投稿情報送信部２３、番組受信部２４、番組出力部２５、応答送信部２６及び操作部２７の機能を備えている。なお、会員端末２０は、ＣＰＵ、ＲＯＭ、ＲＡＭを含むコンピュータを主体として構成されている。
【００２６】
素材取得部２１は、コミュニティ番組やプライベート番組の素材となる投稿情報を取得するものである。この素材取得部２１は、例えば、動画や静止画を撮像するＣＣＤカメラなどで構成されており、ＣＣＤカメラで撮像した動画や静止画を、投稿情報として取得する。なお、素材取得部２１は、会員端末２０の外部から投稿情報を取得してもよい。
【００２７】
位置情報取得部２２は、素材取得部２１が取得した投稿情報の位置情報を取得するものである。具体的に説明すると、位置情報取得部２２は、初期位置として、会員として登録されている地域コミュニティの中心位置が、投稿情報の位置情報として登録されている。そして、位置情報取得部２２は、会員が会員端末２０から位置情報を入力することで、投稿情報の位置情報を変更することが可能となっている。なお、位置情報取得部２２は、例えば、素材取得部２１が投稿情報を取得した時点における会員端末２０の現在位置を、投稿情報の位置情報として取得してもよい。この場合、会員端末２０がラップトップ型のパソコンであれば、会員端末２０の現在位置は固定されるが、会員端末２０がノートブック型のパソコン、携帯電話、モバイルホン、ＰＤＡなどの携帯端末である場合は、会員端末２０にＧＰＳ機能を備えることで、会員端末２０の現在位置を検出することができる。そして、位置情報取得部２２は、この取得した位置情報を、素材取得部２１が取得した投稿情報に紐付ける。
【００２８】
投稿情報送信部２３は、素材取得部２１が取得した投稿情報を、インターネット網を介して、地域コミュニティサーバ３０に投稿するものである。この投稿情報送信部２３は、投稿情報に、タイトル、フレーム及び位置情報を設定する機能が設けられている。なお、この投稿情報に設定する位置情報は、位置情報取得部２２が当該投稿情報に紐付けた位置情報となる。
【００２９】
番組受信部２４は、地域コミュニティサーバ３０から配信されたコミュニティ番組及びコミュニティ番組の番組表を受信するものである。なお、設定によっては、番組受信部２４に、地域コミュニティサーバ３０から配信されたプライベート番組及びプライベート番組の番組表を受信する機能を備えてもよい。
【００３０】
番組出力部２５は、番組受信部２４が受信したコミュニティ番組及びコミュニティ番組の番組表を、会員が視聴できるように、ディスプレイ（不図示）やスピーカー（不図示）などに出力するものである。
【００３１】
応答送信部２６は、番組出力部２５から出力されたコミュニティ番組に対する会員の応答を、地域コミュニティサーバ３０に送信するものである。この応答送信部２６は、何れのコミュニティ番組に対応する応答であるかを特定できるように、コミュニティ番組を特定する情報を応答に付加する。なお、応答に対応するコミュニティ番組の特定は、例えば、応答の送信時刻に基づき行ってもよく、コミュニティ番組ごとに専用の枠を設定し、この専用の枠から応答を送信することにより行ってもよい。また、応答送信部２６は、誰からの応答であるかを特定できるように、当該会員を特定する情報を応答に付加する。
【００３２】
操作部２７は、会員からの操作入力を受け付けるものであり、例えば、キーボードや操作ボタンなどで構成される。なお、上述した素材取得部２１、位置情報取得部２２、投稿情報送信部２３、番組受信部２４、番組出力部２５、応答送信部２６などの主な機能は、操作部２７からの操作入力により実行される。
【００３３】
地域コミュニティサーバ３０は、会員端末２０から投稿された投稿情報からコミュニティ番組又はプライベート番組を編成するとともに、コミュニティ番組又はプライベート番組の番組表を作成し、会員端末２０及びデジタルテレビ４０にコミュニティ番組又はプライベート番組とコミュニティ番組又はプライベート番組の番組表とを配信するものである。このため、地域コミュニティサーバ３０は、図３に示すように、個人情報管理部３１、認証部３２、投稿情報取得部３３、番組編成部３４、番組配信部３５、番組表配信部３６、応答収集部３７、評価部３８及びマーケティング支援情報作成部３９の機能を備えている。なお、地域コミュニティサーバ３０は、ＣＰＵ、ＲＯＭ、ＲＡＭを含むコンピュータを主体として構成されている。
【００３４】
個人情報管理部３１は、地域コミュニティに登録した会員の個人情報をセキュアに管理するものである。
【００３５】
認証部３２は、地域コミュニティへの登録を希望する会員希望者と地域コミュニティに登録されている会員との相互認証により、会員希望者を地域コミュニティに登録するものである。認証部３２は、例えば、会員希望者と会員との関係性の承認、プロファイル要求の承認、地域コミュニティ招待の承認が完了することで、会員希望者を地域コミュニティの会員として登録する。また、認証部３２は、会員ごとに、メールアドレス及びパスワードなどの識別情報を登録しておき、この識別情報に基づいて、インターネット網を介して地域コミュニティサーバ３０にアクセスする端末が会員端末２０であるか否かを識別する。なお、プロファイルとは、住所や電話番号などの個人情報をいい、関係性とは、知人や親族などの関係をいう。
【００３６】
投稿情報取得部３３は、会員端末２０から投稿された投稿情報を、コミュニティ番組又はプライベート番組の番組素材として取得するものである。具体的に説明すると、投稿情報取得部３３は、投稿情報に設定されたタイトル、フレーム及び位置情報を含めて、会員端末２０から投稿された投稿情報を取得する。また、投稿情報取得部３３は、取得した投稿情報を記憶装置（不図示）に蓄積するとともに、投稿情報に設定されたタイトルや位置情報などを索引情報として、蓄積した投稿情報をデータベース化しておく。
【００３７】
番組編成部３４は、コミュニティ番組又はプライベート番組を編成するものである。具体的に説明すると、番組編成部３４は、地域コミュニティの編集者による操作により、投稿情報取得部３３が取得した投稿情報から１又は複数チャンネルのコミュニティ番組又はプライベート番組を編成する。また、番組編成部３４は、地域コミュニティの編集者による操作により、編成したコミュニティ番組又はプライベート番組の番組表を作成する。このとき、番組編成部３４は、投稿情報の番組への採用基準として投稿情報を投稿した会員の貢献度や信頼性を加味してもよく、番組に投稿情報を投稿した会員の貢献度や信頼性を表示してもよく、番組の視聴者の操作により投稿情報を投稿した会員の貢献度や信頼性を表示させるようにしてもよい。なお、番組編成部３４が編成するコミュニティ番組は、例えば、地域コミュニティにおける店舗情報やお買い得情報などの生活情報番組、地域コミュニティにおけるお祭りなどのイベント告知番組、特定疾病に関する医療専門番組などがある。また、番組編成部３４が編成するプライベート番組は、例えば、市町村行政に対する意見を特集した番組、学校案内番組などがある。
【００３８】
番組配信部３５は、番組編成部３４が編成したコミュニティ番組を会員端末２０に配信し、番組編成部３４が編成したプライベート番組をデジタルテレビ４０に配信するものである。なお、設定によっては、番組配信部３５に、コミュニティ番組をデジタルテレビ４０に配信し、プライベート番組を会員端末２０に配信する機能を備えてもよい。
【００３９】
番組表配信部３６は、番組編成部３４が作成したコミュニティ番組の番組表を会員端末２０に配信し、番組編成部３４が作成したプライベート番組の番組表をデジタルテレビ４０に配信するものである。なお、設定によっては、番組表配信部３６に、コミュニティ番組の番組表をデジタルテレビ４０に配信し、プライベート番組の番組表を会員端末２０に配信する機能を備えてもよい。
【００４０】
応答収集部３７は、番組配信部３５が配信したコミュニティ番組を視聴した会員からの応答を収集するものである。上述したように、会員からの応答には、コミュニティ番組を特定する情報と会員を特定する情報とが付加されているため、応答収集部３７は、会員からの応答を受信することで、何れのコミュニティ番組に対する応答で、何れの会員からの応答であるかを特定することができる。
【００４１】
評価部３８は、会員の評価を行うものである。具体的に説明すると、評価部３８は、投稿情報が投稿されると、投稿情報を投稿した会員の地域コミュニティに対する貢献度を上げ、コミュニティ番組に対する応答があると、応答した会員の信頼度を上げる。なお、貢献度や信頼度は、所定の基準に沿って、上下させることができる。
【００４２】
マーケティング支援情報作成部３９は、ＤＴＣ戦略や市場発掘に利用するマーケティング支援情報を作成するものである。具体的に説明すると、マーケティング支援情報作成部３９は、個人情報管理部３１が管理している会員の個人情報や、投稿情報の投稿や、コミュニティ番組に対する応答などから、マーケティング支援情報を作成する。マーケティング支援情報としては、例えば会員のプロファイルや会員間のソーシャルグラフなどがある。
【００４３】
デジタルテレビ４０は、企業、公共施設及び商用施設などの特定施設に設置されて、地域コミュニティサーバ３０から配信されたプライベート番組を流すためのデジタルテレビである。このため、デジタルテレビ４０は、図４に示すように、番組受信部４１、番組出力部４２及び操作部４３の機能を備えている。
【００４４】
番組受信部４１は、地域コミュニティサーバ３０から配信されたプライベート番組及びプライベート番組の番組表を受信するものである。なお、設定によっては、番組受信部４１に、地域コミュニティサーバ３０から配信されたコミュニティ番組及びコミュニティ番組の番組表を受信する機能を備えてもよい。
【００４５】
番組出力部４２は、番組受信部４１が受信したプライベート番組及びプライベート番組の番組表を、企業、公共施設及び商用施設などの特定施設で視聴できるように、ディスプレイ（不図示）やスピーカー（不図示）などに出力するものである。
【００４６】
操作部４３は、企業、公共施設及び商用施設などの特定施設のユーザからの操作入力を受け付けるものであり、例えば、キーボードや操作ボタンなどで構成される。なお、上述した番組受信部４１、番組出力部４２などの主な機能は、操作部４３からの操作入力により実行される。
【００４７】
ここで、図５を参照して、会員端末２０に表示されるコミュニティ番組及びコミュニティ番組の番組表の表示例について説明する。図５は、会員端末に表示されるコミュニティ番組及びコミュニティ番組の番組表の表示例を示した図である。なお、図５では、コミュニティ番組が３チャンネルに編成されている場合を示している。
【００４８】
図５に示すように、地域コミュニティサーバ３０から配信されたコミュニティ番組及びコミュニティ番組の番組表を受信した会員端末２０の表示画面１には、コミュニティ番組を表示するためのコミュニティ番組表示枠２と、番組表を表示するための番組表枠６とが表示される。
【００４９】
コミュニティ番組表示枠２には、チャンネル１のコミュニティ番組が表示されるチャンネル１専用枠３と、チャンネル２のコミュニティ番組が表示されるチャンネル２専用枠４と、チャンネル３のコミュニティ番組が表示されるチャンネル３専用枠５とが表示される。そして、各チャンネルの専用枠のうち、コミュニティ番組を表示しているチャンネル１の専用枠３には、チャンネル番号が表示されるチャンネル番号表示枠３ａと、コミュニティ番組が表示されるコミュニティ番組表示枠３ｂと、コミュニティ番組の番組情報又はチャットが表示される番組内容＆チャット表示枠３ｃとが表示される。なお、番組内容＆チャット表示枠３ｃは、番組情報とチャットの何れか一方のみを択一的に選択表示することが可能となっている。一方、各チャンネルの専用枠のうち、コミュニティ番組を表示していないチャンネル２及び３の専用枠４及び５には、チャンネル番号が表示されるチャンネル番号表示枠のみが表示され、コミュニティ番組表示枠と番組内容＆チャット表示枠とは隠される。
【００５０】
番組表枠６には、チャンネル番号と配信時刻とを対応付けた番組表が表示される。なお、番組表枠６に全ての番組表が画面内に収まらない場合は、スクロール表示とすることや、番組表枠６に表示する時間帯を選択させることもできる。
【００５１】
次に、図６を参照して、会員登録の認証処理動作について説明する。図６は、会員登録の認証処理動作を示すシーケンスチャートであり、地域コミュニティに登録されている登録会員ａと地域コミュニティへの登録を希望する会員希望者ｂとの相互認証により、会員希望者ｂを地域コミュニティに登録する認証処理動作を示している。なお、地域コミュニティサーバ３０における認証処理は、主に認証部３２において行われる。
【００５２】
図６に示すように、会員登録の認証処理では、まず、登録会員ａが会員端末２０においてプロファイルを作成すると（ステップＳ１）、地域コミュニティサーバ３０の個人情報管理部３１が、この作成されたプロファイルを登録会員ａのプロファイルとして登録する（ステップＳ２）。そして、登録会員ａが会員端末２０においてプロファイルの公開を許諾すると（ステップＳ３）、地域コミュニティサーバ３０の個人情報管理部３１が、登録会員ａのプロファイルを公開する（ステップＳ４）。このとき、登録会員ａの個人情報が公に公開されないように、個人情報管理部３１は、登録会員ａの名前やニックネームなど、登録されているプロファイルのうち最小限の情報のみを公開することが好ましい。一方、登録会員ａがプロファイルの公開を許諾しない場合は、登録会員ａによる会員登録の認証処理を終了する。
【００５３】
一方、会員希望者ｂは、自身の保有する未登録者端末２０Ｂからインターネットを検索して登録会員ａを発見すると（ステップＳ５）、未登録者端末２０Ｂを操作して、登録会員ａと会員希望者ｂとの関係性の承認を依頼する。すると、未登録者端末２０Ｂから地域コミュニティサーバ３０に関係性承認依頼が送信され（ステップＳ６）、地域コミュニティサーバ３０から未登録者端末２０Ｂにこの関係性承認依頼が転送される。そして、登録会員ａが会員端末２０において関係性承認依頼を承認すると（ステップＳ７）、会員端末２０から地域コミュニティサーバ３０に承認情報が送信され、地域コミュニティサーバ３０から未登録者端末２０Ｂにこの承認情報が転送される。このようにして登録会員ａが関係性承認依頼を承認すると、地域コミュニティサーバ３０の評価部３８が、登録会員ａと会員希望者ｂの信頼性評価を上げる（ステップＳ８）。
【００５４】
承認情報が未登録者端末２０Ｂに転送されると、会員希望者ｂは、未登録者端末２０Ｂから登録会員ａのプロファイルを要求する（ステップＳ９）。すると、未登録者端末２０Ｂから地域コミュニティサーバ３０にプロファイル要求情報が送信され、地域コミュニティサーバ３０から未登録者端末２０Ｂにこのプロファイル要求情報が転送される。そして、登録会員ａが会員端末２０においてプロファイルの要求を承認すると（ステップＳ１０）、地域コミュニティサーバ３０から未登録者端末２０Ｂに登録会員ａのプロファイルが送信され、未登録者端末２０Ｂが登録会員ａのプロファイルを取得する（ステップＳ１２）。
【００５５】
その後、登録会員ａが、会員端末２０において会員希望者ｂを地域コミュニティに招待する操作を行うと、会員端末２０から地域コミュニティサーバ３０に招待情報が送信され、地域コミュニティサーバ３０から未登録者端末２０Ｂにこの招待情報が転送される。そして、会員希望者ｂが未登録者端末２０Ｂにおいて地域コミュニティ招待を承認すると（ステップＳ１４）、地域コミュニティサーバ３０は、登録会員ａによる会員希望者ｂの地域コミュニティへの招待を承認し、会員希望者ｂを地域コミュニティの会員として登録する（ステップＳ１５）。
【００５６】
次に、図７及び図８を参照して、コミュニティ番組の編成視聴処理動作について説明する。図７及び図８は、コミュニティ番組の視聴処理動作を示すシーケンスチャートである。
【００５７】
図７及び図８に示すように、コミュニティ番組の編成視聴処理では、まず、地域コミュニティに登録された会員が、会員端末２０の素材取得部２１において番組の素材となる投稿情報を取得し、この投稿情報をインターネットの動画共有サイトなどにアップロードする（ステップＳ２１）。そして、会員は、会員端末２０において、アップロードした投稿情報にタイトル、フレーム及び位置情報を設定し（ステップＳ２２、ステップＳ２３、ステップＳ２４）、この投稿情報を地域コミュニティサーバ３０に投稿する（ステップＳ２５）。
【００５８】
地域コミュニティサーバ３０は、取得した投稿情報を記憶装置（不図示）に蓄積して、投稿情報に設定されたタイトルや位置情報などを索引情報として蓄積した投稿情報を管理し、投稿情報を投稿した会員の地域コミュニティに対する貢献度評価を上げる（ステップＳ２６）。
【００５９】
投稿された投稿情報がある程度蓄積されると、地域コミュニティサーバ３０は、地域コミュニティの編集者による操作により、地域コミュニティサーバ３０に蓄積されている投稿情報のうち、コミュニティ番組を構成する各番組のコンテンツとなる投稿情報をコピーしてコミュニティ番組を作成し（ステップＳ２７）、更にコミュニティ番組のフレームを編集する（ステップＳ２８）。コミュニティ番組の番組宣伝を行う場合は、ステップＳ２７でコピーした投稿情報を用いてコミュニティ番組のトピックを編集する（ステップＳ２９）。そして、コミュニティ番組の編集が終了すると、コミュニティ番組のチャンネル及び放送時間を設定する（ステップＳ３０、ステップＳ３１）。このようにしてコミュニティ番組のチャンネル及び放送時間が設定されると、地域コミュニティサーバ３０は、コミュニティ番組に採用した投稿情報を投稿した会員に、投稿情報がコミュニティ番組に採用されたことを通知する（ステップＳ３２）。また、地域コミュニティサーバ３０は、コミュニティ番組の番組表を作成し（ステップＳ３３）、番組の放送前にコミュニティ番組の番組表を会員端末２０に配信する（ステップＳ３４）。これにより、会員は、会員端末２０においてコミュニティ番組の番組表を視聴することができる（ステップＳ３５）。
【００６０】
その後、地域コミュニティサーバ３０は、設定したチャンネル及び放送時間に従って、コミュニティ番組を会員端末２０に配信する（ステップＳ３６）これにより、会員は、会員端末２０において希望のチャンネルのコミュニティ番組を視聴することができる（ステップＳ３７）。
【００６１】
このとき、会員が会員端末２０を操作してコミュニティ番組に対して応答を行うと（ステップＳ３８）、会員端末２０から地域コミュニティサーバ３０に会員の応答が送信される。そこで、地域コミュニティサーバ３０は、会員端末２０から送信される会員の応答を収集し（ステップＳ３９）、応答した会員の信頼性評価を上げる（ステップＳ４０）。
【００６２】
そして、地域コミュニティサーバ３０は、個人情報管理部３１が管理している会員の個人情報、投稿情報の内容、コミュニティ番組に対する応答の内容などから、会員のプロファイルや会員間のソーシャルグラフなどのマーケティング支援情報を作成する（ステップＳ４１）。
【００６３】
次に、図９を参照して、プライベート番組の視聴処理動作について説明する。図９は、プライベート番組の視聴処理動作を示すシーケンスチャートである。
【００６４】
図９に示すように、プライベート番組の編成視聴処理では、上述したプライベート番組の編成視聴処理と同様に、地域コミュニティに登録された会員が、番組の素材となる投稿情報を取得して動画共有サイトなどにアップロードし（ステップＳ５１）、この投稿情報にタイトル、フレーム及び位置情報を設定し（ステップＳ５２、ステップＳ５３、ステップＳ５４）、地域コミュニティサーバ３０に投稿する（ステップＳ５５）。
【００６５】
地域コミュニティサーバ３０は、取得した投稿情報を記憶装置（不図示）に蓄積して、投稿情報に設定されたタイトルや位置情報などを索引情報として蓄積した投稿情報を管理する。
【００６６】
投稿された投稿情報がある程度蓄積されると、地域コミュニティサーバ３０は、プライベート番組の編集者による操作により、地域コミュニティサーバ３０に蓄積されている投稿情報のうち、プライベート番組を構成する各番組のコンテンツとなる投稿情報をコピーしてプライベート番組を作成し（ステップＳ５６）、更にプライベート番組のフレームを編集する（ステップＳ５７）。そして、プライベート番組に編集が終了すると、プライベート番組のチャンネル及び放送時間を設定する（ステップＳ５８、ステップＳ５９）。このようにしてプライベート番組のチャンネル及び放送時間が設定されると、地域コミュニティサーバ３０は、プライベート番組の番組表を作成し（ステップＳ６０）、番組の放送前にプライベート番組の番組表をデジタルテレビ４０に配信する（ステップＳ６１）。これにより、特定施設では、デジタルテレビ４０においてプライベート番組の番組表を視聴することができる（ステップＳ６２）。
【００６７】
その後、地域コミュニティサーバ３０は、設定したチャンネル及び放送時間に従って、プライベート番組をデジタルテレビ４０に配信する（ステップＳ６３）これにより、特定施設では、デジタルテレビ４０において希望のチャンネルのプライベート番組を視聴することができる（ステップＳ６４）。
【００６８】
以上説明したように、本実施形態に係る地域コミュニティネットワークシステム１０によれば、投稿情報を投稿する会員と配信されたコミュニティ番組を視聴する会員とを、物理的なコミュニケーションが可能な同一の地域コミュニティで結びつけることができる。このため、コミュニティ番組を視聴する会員に、近所の出来事として親近感を沸かせて、コミュニティ番組に対する関心を高めさせることができる。更に、インターネット網を介した双方向通信を利用することで、手軽に投稿情報の投稿とコミュニティ番組の視聴とを通じたコミュニケーションをとることができる。しかも、投稿された投稿情報は、コミュニティ番組として配信されるため、従来のソーシャルネットワーキングサービスと異なり、視聴者は、あたかもテレビ放送を視聴しているかのような感覚で、コミュニティ番組を視聴することができる。このため、インターネットに不慣れな人でも、抵抗感無くコミュニティ番組を視聴することができる。このようなことから、個人の情報収集活動と地域コミュニティにおけるコミュニケーションとが繋ぎ合わされるため、地域コミュニティを活発化させることができる。
【００６９】
また、コミュニティ番組を複数のチャンネルで構成することで、チャンネルを切り替えることにより異なるコミュニティ番組を視聴することができるため、コミュニティ番組に対する興味を増加させることができる。
【００７０】
また、コミュニティ番組又はプライベート番組の番組表が配信されるため、コミュニティ番組又はプライベート番組の視聴者は、テレビ放送の番組を視聴するのと同じ感覚で、インターネット網を介して配信されるコミュニティ番組又はプライベート番組を視聴することができる。これにより、インターネットに不慣れな人でも、更に抵抗感無くコミュニティ番組又はプライベート番組を視聴することができる。
【００７１】
また、登録会員と会員希望者の相互認証により会員希望者を地域コミュニティに登録する認証部３２を有することで、地域コミュニティに登録された会員の相互信頼性を向上させることができる。
【００７２】
また、応答収集部３７が会員からの応答を収集することで、会員からの応答を分析して、コミュニティ番組に対する各会員の興味や嗜好などを推測することができる。これにより、例えば、医療用医薬品の製品情報や疾病情報などを潜在顧客層に直接提供するＤＴＣ戦略や市場の発掘などを効果的に行うことができる。
【００７３】
また、マーケティング支援情報作成部３９が会員のプロファイルや会員間のソーシャルグラフなどのマーケティング支援情報を作成することで、このマーケティング支援情報を分析して、ＤＴＣ戦略や市場発掘などにおける潜在顧客層へのコミュニケーションアプローチを適切に実現することができる。
【００７４】
また、評価部３８が会員の地域コミュニティに対する貢献度や会員の信頼性を評価することで、地域コミュニティにおけるコミュニケーションの品質を向上させることができる。
【００７５】
また、プライベート番組の編成及び配信を行うことで、企業、公共施設及び商用施設などの特定施設の顧客に対して、相互コミュニケーションが可能なデジタルサイネージを安価に提供することができる。
【００７６】
［第２の実施形態］
図１０は、第２の実施形態に係る包括コミュニティネットワークシステムを示したネットワーク構成概念図である。図１０に示すように、本実施形態に係るグローバルネットワークシステム６０は、地域コミュニティと全国的なグローバルコミュニティとの連携を図りながら、地域コミュニティにおいてコミュニケーションを図るものであり、全国各地の地域コミュニティに形成された地域コミュニティネットワークシステム１０を収容するように、複数の地域コミュニティネットワークシステム１０が接続されている。
【００７７】
グローバルネットワークシステム６０には、包括コミュニティサーバ７０がインターネット網を介して接続されている。そして、このグローバルネットワークシステム６０は、各地域コミュニティから発信された情報から全国版の番組を編成したり、全国展開する商品を各地域コミュニティに展開する番組を編成したりすることを、主な機能とする。
【００７８】
図１１は、包括コミュニティサーバの機能構成図である。図１１に示すように、包括コミュニティサーバ７０は、投稿情報取得部７１、番組編成部７２、番組配信部７３、応答収集部７４及びマーケティング支援情報作成部７５の機能を備えている。なお、包括コミュニティサーバ７０は、ＣＰＵ、ＲＯＭ、ＲＡＭを含むコンピュータを主体として構成されている。
【００７９】
投稿情報取得部７１は、会員端末２０から地域コミュニティサーバ３０に投稿された投稿情報を、コミュニティ番組又はプライベート番組の番組素材として取得するものである。具体的に説明すると、投稿情報取得部７１は、投稿情報に設定されたタイトル、フレーム及び位置情報を含めて、会員端末２０から地域コミュニティサーバ３０に投稿された投稿情報を取得する。そして、投稿情報取得部７１は、地域コミュニティサーバ３０と同様に、取得した投稿情報を記憶装置（不図示）に蓄積するとともに、投稿情報に設定されたタイトルや位置情報などを索引情報として、蓄積した投稿情報をデータベース化しておく。
【００８０】
番組編成部７２は、コミュニティ番組又はプライベート番組を編成するものである。具体的に説明すると、番組編成部７２は、グローバルコミュニティの編集者による操作により、投稿情報取得部７１が取得した投稿情報からコミュニティ番組又はプライベート番組を編成する。このとき、番組編成部３４は、投稿情報の番組への採用基準として投稿情報を投稿した会員の貢献度や信頼性を加味してもよく、番組に投稿情報を投稿した会員の貢献度や信頼性を表示してもよく、番組の視聴者の操作により投稿情報を投稿した会員の貢献度や信頼性を表示させるようにしてもよい。なお、番組編成部７２が編成するコミュニティ番組及びプライベート番組は、地域コミュニティサーバの番組編成部３４が編成するコミュニティ番組及びプライベート番組のほか、例えば、各地域コミュニティにおける情報を全国的に展開する番組や、全国的に展開する商品に対する各地域コミュニティの意見などを特集した番組などがある。
【００８１】
番組配信部７３は、番組編成部７２が編成したコミュニティ番組又はプライベート番組を地域コミュニティサーバ３０に配信するものである。
【００８２】
応答収集部７４は、地域コミュニティサーバ３０が配信したコミュニティ番組を視聴した会員からの応答を地域コミュニティサーバ３０から収集するものである。
【００８３】
マーケティング支援情報作成部７５は、ＤＴＣ戦略や市場発掘に利用するマーケティング支援情報を作成するものである。具体的に説明すると、マーケティング支援情報作成部７５は、地域コミュニティサーバ３０から会員の個人情報を取得し、この会員の個人情報や、投稿情報取得部７１が取得した投稿情報や、応答収集部７４が収集したコミュニティ番組に対する応答などから、マーケティング支援情報を作成する。マーケティング支援情報としては、例えば会員のプロファイルや会員間のソーシャルグラフなどがある。
【００８４】
次に、図１２及び図１３を参照して、コミュニティ番組の編集視聴処理動作について説明する。図１２及び図１３は、コミュニティ番組の編集視聴処理動作を示すシーケンスチャートである。なお、プライベート番組の編集視聴処理動作は、第１の実施形態におけるプライベート番組の編集聴処理動作を、第２の実施形態におけるプライベート番組の編集視聴処理動作に適用することで容易に把握することができるため、説明を省略する。
【００８５】
図１２及び図１３に示すように、コミュニティ番組の編成視聴処理では、第１の実施形態と同様に、地域コミュニティに登録された会員が、番組の素材となる投稿情報を取得して動画共有サイトなどにアップロードし（ステップＳ７１）、この投稿情報にタイトル、フレーム及び位置情報を設定し（ステップＳ７２、ステップＳ７３、ステップＳ７４）、地域コミュニティサーバ３０に投稿する（ステップＳ７５）。
【００８６】
地域コミュニティサーバ３０は、取得した投稿情報を記憶装置（不図示）に蓄積するとともに、この取得した投稿情報を包括コミュニティサーバ７０に転送し（ステップＳ７６）、包括コミュニティサーバ７０は、取得した投稿情報を記憶装置（不図示）に蓄積する。このとき、地域コミュニティサーバ３０は、投稿情報を投稿した会員の個人情報も合わせて包括コミュニティサーバ７０に送信する。なお、地域コミュニティサーバ３０及び包括コミュニティサーバ７０は、投稿情報に設定されたタイトルや位置情報などを索引情報として、蓄積した投稿情報を管理する。そして、地域コミュニティサーバ３０は、投稿情報を投稿した会員の地域コミュニティに対する貢献度評価を上げる（ステップＳ７７）。
【００８７】
地域コミュニティサーバ３０から転送された投稿情報がある程度蓄積されると、包括コミュニティサーバ７０は、包括コミュニティの編集者による操作により、包括コミュニティサーバ７０に蓄積されている投稿情報のうち、コミュニティ番組を構成する各番組のコンテンツとなる投稿情報をコピーしてコミュニティ番組を作成し（ステップＳ７８）、更にコミュニティ番組のフレームを編集する（ステップＳ７９）。コミュニティ番組の番組宣伝を行う場合は、ステップＳ７８でコピーした投稿情報を用いてコミュニティ番組のトピックを編集する（ステップＳ８０）。そして、コミュニティ番組の編集が終了すると、包括コミュニティサーバ７０は、この編集した番組を各地域コミュニティの地域コミュニティサーバ３０に配信する（ステップＳ８１）。
【００８８】
各地域コミュニティの地域コミュニティサーバ３０は、包括コミュニティサーバ７０において編集されたコミュニティ番組を取得すると、この取得したコミュニティ番組のチャンネル及び放送時間を設定する（ステップＳ８２、ステップＳ８３）。このようにしてコミュニティ番組のチャンネル及び放送時間が設定されると、地域コミュニティサーバ３０は、コミュニティ番組に採用した投稿情報を投稿した会員に、投稿情報がコミュニティ番組に採用されたことを通知する（ステップＳ８４）。また、地域コミュニティサーバ３０は、コミュニティ番組の番組表を作成し（ステップＳ８５）、番組の放送前にコミュニティ番組の番組表を会員端末２０に配信する（ステップＳ８６）。これにより、会員は、会員端末２０においてコミュニティ番組の番組表を視聴することができる（ステップＳ８７）。
【００８９】
その後、地域コミュニティサーバ３０は、設定したチャンネル及び放送時間に従って、コミュニティ番組を会員端末２０に配信する（ステップＳ８８）これにより、会員は、会員端末２０において希望のチャンネルのコミュニティ番組を視聴することができる（ステップＳ８９）。
【００９０】
このとき、会員が会員端末２０を操作してコミュニティ番組に対して応答を行うと（ステップＳ９０）、会員端末２０から地域コミュニティサーバ３０に会員の応答が送信される。そこで、地域コミュニティサーバ３０は、会員端末２０から送信される会員の応答を収集し、この収集した会員の応答を包括コミュニティサーバ７０に転送する（ステップＳ９１）。このとき、地域コミュニティサーバ３０は、応答を行った会員の個人情報も合わせて包括コミュニティサーバ７０に送信する。これにより、包括コミュニティサーバ７０は、全国の地域コミュニティに配信したコミュニティ番組に対する各地域コミュニティの会員の応答を収集する（ステップＳ９２）。また、地域コミュニティサーバ３０は、応答した会員の信頼性評価を上げる（ステップＳ９３）。
【００９１】
そして、包括コミュニティサーバ７０は、地域コミュニティサーバ３０から取得した会員の個人情報、投稿情報の内容、コミュニティ番組に対する応答の内容などから、会員のプロファイルや会員間のソーシャルグラフなどのマーケティング支援情報を作成する（ステップＳ９４）。
【００９２】
以上説明したように、本実施形態に係るグローバルネットワークシステム６０によれば、複数の地域コミュニティネットワークシステム１０が接続されているため、地域コミュニティにおける情報とグローバルな情報とを連携させることができる。このため、例えば、各地域コミュニティにおける情報を全国版の番組に纏め上げて、この全国版の番組を各地域コミュニティに配信することで、地域振興を図ることができる。また、例えば、グローバルなＤＴＣ戦略や市場発掘のターゲットとなる地域コミュニティに対して、特定目的の情報を番組として自然に配信することができる。
【００９３】
以上、本発明の好適な実施形態について説明したが、本発明は上記実施形態に限定されるものではない。例えば、上記実施形態では、編集者が地域コミュニティサーバ３０又は包括コミュニティサーバ７０を操作することにより番組の編集などを行うものとして説明したが、地域コミュニティネットワークシステム１０又はグローバルコミュニティネットワークシステム６０に別途編集用端末を接続し、この編集用端末を操作することで、番組の編集などを行うものとしてもよい。
【００９４】
また、第二の実施形態では、第一の実施形態において地域コミュニティサーバ３０が行う処理を、地域コミュニティサーバ３０と包括コミュニティサーバ７０とで分担して行うものとして説明したが、地域コミュニティサーバ３０と包括コミュニティサーバ７０とが連携することにより、会員端末２０から投稿された投稿情報から番組を編成して、会員端末２０又はデジタルテレビ４０に番組を配信することができれば、地域コミュニティサーバ３０と包括コミュニティサーバ７０とが如何なる分担で処理を行ってもよい。
【００９５】
また、第二の実施形態では、包括コミュニティサーバ７０から地域コミュニティサーバ３０に番組を送信するものとして説明したが、地域コミュニティサーバ３０から包括コミュニティサーバ７０に番組を送信するものとしてもよい。この場合、例えば、地域コミュニティサーバ３０の番組配信部３５が包括コミュニティサーバ７０に番組を送信し、包括コミュニティサーバ７０の投稿情報取得部７１が地域コミュニティサーバから送信された番組を受信することとすることができる。
【符号の説明】
【００９６】
１…表示画面、２…コミュニティ番組表示枠、３…チャンネル１専用枠、３ａ…チャンネル番号表示枠、３ｂ…コミュニティ番組表示枠、３ｃ…番組内容＆チャット表示枠、４…チャンネル２専用枠、５…チャンネル３専用枠、６…番組表枠、１０…地域コミュニティネットワークシステム、２０…会員端末、２０Ｂ…未登録者端末、２１…素材取得部、２２…位置情報取得部、２３…投稿情報送信部、２４…番組受信部、２５…番組出力部、２６…応答送信部、２７…操作部、３０…地域コミュニティサーバ、３１…個人情報管理部、３２…認証部、３３…投稿情報取得部、３４…番組編成部、３５…番組配信部、３６…番組表配信部、３７…応答収集部、３８…評価部、３９…マーケティング支援情報作成部、４０…デジタルテレビ、４１…番組受信部、４２…番組出力部、４３…操作部、６０…グローバルネットワークシステム、７０…包括コミュニティサーバ、７１…投稿情報取得部、７２…番組編成部、７３…番組配信部、７４…応答収集部、７５…マーケティング支援情報作成部、ａ…登録会員、ｂ…会員希望者。
【図１】
2013058932.tif 000003
【図２】
2013058932.tif 000004
【図３】
2013058932.tif 000005
【図４】
2013058932.tif 000006
【図５】
2013058932.tif 000007
【図６】
2013058932.tif 000008
【図７】
2013058932.tif 000009
【図８】
2013058932.tif 000010
【図９】
2013058932.tif 000011
【図１０】
2013058932.tif 000012
【図１１】
2013058932.tif 000013
【図１２】
2013058932.tif 000014
【図１３】
2013058932.tif 000015